(57)【要約】【課題】受信端末の位置に応じたコンテンツのプッシュ配信技術において、コンテンツ配信が実施された場所の情報、例えば住所や地図上の座標等から、配信されたコンテンツを簡単に見つける。【解決手段】ある場所で携帯端末がコンテンツを受信した時に、受信したコンテンツに関する情報と携帯端末が接続しているネットワークの地理的な位置に関する情報を記録する手段に加えて、その保存した情報を基にコンテンツの受信場所を記載する地図画像を生成する手段と、その地図画像に記載された受信場所の座標と、受信したコンテンツの情報を関連付ける手段により構成する。【選択図】  図１
2004334616.tif 000002
【特許請求の範囲】
【請求項１】
コンテンツ受信端末が特定の位置にある時に前記端末に配信されるコンテンツの配信情報を記録する方法であって、コンテンツ配信を実施する該ネットワークの地理的位置を表現するデータを保持する手段と、該コンテンツ受信端末を該ネットワークに接続する手段と、該コンテンツ受信端末へコンテンツを配信する手段と、コンテンツが配信された時の該ネットワークの位置データを取得する手段と、該位置データ、配信されたコンテンツ自体、もしくは、コンテンツに関連する情報からなる配信情報を記録する配信コンテンツ記録手段から構成されるコンテンツ配信記録方法。
【請求項２】
請求項１のコンテンツ配信記録方法であって、該配信コンテンツ記録手段より配信情報を取得して、コンテンツが配信された場所を示すアイコンを地図画像に重畳した新たな地図画像を生成し、該アイコンを描画した領域と配信されたコンテンツ、あるいはコンテンツの関連情報との関連づけを記述するデータを生成する配信データ生成手段を持つことを特徴とするコンテンツ配信記録方法。
【請求項３】
請求項２のコンテンツ配信記録方法であって、利用者からの配信データ取得要求に応じて該配信データ生成手段により配信データを生成することを特徴とするコンテンツ配信記録方法。
【請求項４】
請求項２のコンテンツ配信記録方法であって、定期的に該配信データ生成手段を実行して配信データを生成して記録する手段を有し、利用者の要求に応じて記録している配信データを送信することを特徴とするコンテンツ配信記録方法。
【請求項５】
請求項４のコンテンツ配信記録方法であって、定期的に生成した配信データを利用者の端末にプッシュする手段を有することを特徴とするコンテンツ配信記録方法。
【請求項６】
請求項２ないし５のコンテンツ配信記録方法であって、配信されるコンテンツの関連情報がコンテンツに関するＵＲＬであり、該配信データ生成手段が生成するデータが、地図画像を含み、地図画像に重畳されたアイコンの領域に、配信された該ＵＲＬをリンクとして設定したＨＴＭＬファイルであることを特徴とするコンテンツ配信記録方法。
【請求項７】
請求項１のコンテンツ配信記録方法であって、該コンテンツ受信端末の該ネットワークへの接続を検出する手段と、該検出手段が接続検出時に該ネットワークの地理的位置情報を接続した該コンテンツ受信端末に送信する手段を含み、該コンテンツ受信端末がコンテンツ受信した時に、該配信コンテンツ記録手段に該コンテンツの配信情報を送信して登録を指示することを特徴とするコンテンツ配信記録方法。
【請求項８】
請求項６のコンテンツ配信記録方法であって、該コンテンツ受信端末は配信情報を該コンテンツ配信手段に送信し、該コンテンツ配信手段が該コンテンツ受信端末からの配信情報を受信し、該配信コンテンツ記録手段に転送して配信情報の登録を指示することを特徴とするコンテンツ配信記録方法。
【請求項９】
請求項１のコンテンツ配信記録方法であって、該コンテンツ受信端末の該ネットワークへの接続を検出する手段と、該検出手段が接続検出時にネットワークの地理的位置情報を該コンテンツ配信手段に通知する手段を含み、該コンテンツ配信手段が、該コンテンツ受信端末にコンテンツを配信するときに、該配信コンテンツ記録手段に配信情報を送信して登録を指示することを特徴とするコンテンツ配信記録方法。
【請求項１０】
請求項１のコンテンツ配信記録方法であって、該配信コンテンツ記録手段が、コンテンツ受信端末以外の計算機上にあることを特徴とするコンテンツ配信記録方法。
【請求項１１】
請求項２ないし４のコンテンツ配信記録方法であって、該コンテンツ受信端末が端末の利用者情報を該コンテンツ配信手段に送信する手段を持ち、該コンテンツ配信手段は該端末から受信した利用者情報も含めた配信情報を記録し、該データ生成手段が該コンテンツ配信手段から配信情報を取得することを特徴とするコンテンツ配信記録方法。
【請求項１２】
請求項１１のコンテンツ配信記録方法であって、該データ生成手段に該コンテンツ配信手段を搭載する計算機のアドレスを予め登録する手段と、該データ生成手段が登録されている該計算機から配信情報を取得することを特徴とするコンテンツ配信記録方法。
【請求項１３】
請求項１１のコンテンツ配信記録方法であって、該データ生成手段がコンテンツ配信手段を搭載する計算機のアドレスをネットワークの検索によって発見する手段を有することを特徴とするコンテンツ配信記録方法。
【請求項１４】
請求項１のコンテンツ配信記録方法であって、コンテンツ配信を実施する該ネットワークの地理的位置変化にあわせて、それを表現するデータを自動的に変更する手段を有することを特徴とするコンテンツ配信記録方法。
【請求項１５】
請求項１のコンテンツ配信記録方法を用いたシステムであって、該配信コンテンツ記録手段の利用に課金することを特徴とするシステム。
【請求項１６】
請求項２のコンテンツ配信記録方法を用いたシステムであって、該配信データ生成手段の利用に課金することを特徴とするシステム。
【発明の詳細な説明】
【０００１】
【発明の属する技術分野】
本発明は、端末の位置に応じたコンテンツ配信に関して、コンテンツとその配信が実施されたネットワークの地理的位置の情報を記録する方法と、情報が配信された場所の情報から端末に配信されたコンテンツ、あるいは、それに関連するコンテンツを参照する方法に関する。
【０００２】
【従来の技術】
携帯電話や無線ＬＡＮの普及により、屋外でネットワークに接続することが容易になっている。また、特に、携帯電話では、ＧＰＳ（Ｇｌｏｂａｌ  Ｐｏｓｉｔｉｏｎｉｎｇ  Ｓｙｓｔｅｍ）や電波強度の測定により、携帯電話の位置測定が可能になっている。無線ＬＡＮにおいても、無線ＬＡＮを搭載する端末の位置をある程度測定できる。
【０００３】
上記の技術を基に、利用者の位置に応じた情報（コンテンツ）の配信が実現されている。例えば、特許文献１は、携帯電話の位置に応じてコンテンツを配信する方法を開示している。また、特許文献２は、携帯電話が存在する場所に関連するコンテンツを検索する方法を開示している。
【０００４】
コンテンツ配信者は、利用者が後で他の端末からでも配信コンテンツを参照できるように、電子メールでコンテンツを利用者に配信する場合もある。利用者は、それらの電子メールをメールサーバに残しておけば、いつでも利用者の位置に応じて配信されたコンテンツを閲覧できる。
【０００５】
また、特許文献３は、携帯端末が存在する位置の情報を記録し、携帯端末が存在していた位置を地図画像に重畳して表示する方法を開示している。
【０００６】
また、電車や自動車内でネットワークを構成し、そのネットワークに接続する端末にコンテンツを配信することも可能である。
【０００７】
【特許文献１】
特開２００２−１８３００７号公報（第５−６頁）
【特許文献２】
特開２００２−１６３２９７号公報（第３−７頁）
【特許文献３】
特開２００２−２７１８３７号公報（第４−５頁）
【０００８】
【発明が解決しようとする課題】
従来技術による受信端末の位置に応じたコンテンツのプッシュ配信は、プッシュ配信された後で、コンテンツ配信が実施された場所の情報、例えば住所や地図上の座標等から配信されたコンテンツに辿り着けないという問題がある。
【０００９】
また、従来技術による受信端末の位置に応じたコンテンツのプッシュ配信では、コンテンツを受信した端末でしかそのコンテンツを閲覧できないという問題もある。
【００１０】
コンテンツ配信者は、他の端末からも参照できるように電子メールでコンテンツを利用者に配信できる。しかし、電子メールは、利用者がどこに居る時にメールを配信したかという情報は含まないため、コンテンツ配信場所の情報からそのコンテンツに辿り着けない。
【００１１】
また、特許文献３で開示されている方法では、携帯電話基地局が発信する固有の位置情報だけの扱いであり、ある場所に関連付けられてプッシュ配信されたコンテンツを取得できない。
【００１２】
更に、従来技術では、プッシュ配信が実施されるネットワーク自体が移動する場合、その移動情報は無視されているという問題がある。
【００１３】
【課題を解決するための手段】
前記の課題を解決する手段は、ある場所で携帯端末がコンテンツを受信した時に、受信したコンテンツに関する情報と携帯端末が接続しているネットワークの地理的な位置に関する情報を保存する手段に加えて、その保存した情報を基にコンテンツの受信場所を記載する地図画像を生成する手段と、その地図画像に記載された受信場所の座標と、受信したコンテンツの情報を関連付ける手段により構成される。
【００１４】
加えて、コンテンツ配信を実施するネットワークとそのネットワークが敷設されている地理的な位置を関連づける手段と、携帯端末がネットワークの地理的な位置を取得するための手段も有する。
【００１５】
【発明の実施の形態】
図面を用いて本発明の実施の形態を説明する。本実施の形態では、携帯端末の利用者が、ある場所でコンテンツの配信を受け、その後で、コンテンツの受信場所をＷｅｂブラウザ内の地図上に表示し、その表示から配信されたコンテンツを閲覧する方法について説明する。
【００１６】
図１は、本発明の実施の形態のシステム構成を示す図である。図１により、本実施の形態のシステム構成を説明する。
【００１７】
本システムの利用者は、携帯端末１００とＰＣ１３０を所有している。通常、利用者は、自身の居場所に応じて配信されるコンテンツを受信するために携帯端末１００を所持している。利用者は、携帯端末１００に配信されたコンテンツを、後でＰＣ１３０から閲覧できる。その際、利用者は、コンテンツが配信された場所を示す地図画像から配信されたコンテンツを発見できる。
【００１８】
携帯端末１００は、プログラムが格納されている記憶装置１０２、記憶装置１０２に格納されているプログラムを実行するＣＰＵ、入力やコンテンツ表示のための入出力装置、無線でＬＡＮ１４０に接続するための無線アダプタ１０１から構成されている。これらは、バスで接続されている。本実施の形態では、ＬＡＮ１４０への接続方式を無線としたが、有線を使った接続方式でもよい。
【００１９】
携帯端末１００は、無線アダプタ１０１で無線アクセスポイント１６０に接続し、それにより、ＬＡＮ１４０に接続する。
【００２０】
記憶装置１０２には、コンテンツ受信部１０３とコンテンツ登録部１０４が格納されている。本実施の形態では、これらのプログラムは記憶装置１０２に格納されているとしたが、これらのプログラムは携帯端末１００に接続する外部記憶装置から記憶装置１０２にロードされても良い。
【００２１】
また、記憶装置１０２は、携帯端末１００の利用者を示す利用者情報１０５も格納している。利用者情報１０５は、利用者を識別するＩＤ、コンテンツの配信情報を記録する配信コンテンツ記録サーバ１２０のアドレスを含んでいる。利用者は、携帯端末１００で本システムの利用を開始するときに、これらの情報を設定する。
【００２２】
コンテンツ配信サーバ１１０は、ＣＰＵ、記憶装置、入出力装置、外部記憶装置１１２、ネットワークアダプタ１１１から構成される計算機である。サーバ１１０は、ネットワークアダプタ１１１を介してＬＡＮ１４０に接続しており、ＬＡＮ１４０に接続した携帯端末に配信するコンテンツを外部記憶装置１１２に保持している。記憶装置内には、コンテンツ送信部１１３と端末検出部１１４がロードされており、実行している。
【００２３】
ＬＡＮ１４０には、無線アクセスポイント１６０が接続している。また、ＬＡＮ１４０は、外部のネットワークに接続するためにネットワーク１５０にも接続している。
【００２４】
配信コンテンツ記録サーバ１２０は、ＣＰＵ，記憶装置、入出力装置、外部記憶装置１２４、ネットワークアダプタで構成される計算機である。サーバ１２０は、ネットワークアダプタを介してネットワーク１５０に接続している。記憶装置内には、登録処理部１２１、Ｗｅｂページ生成部１２２、Ｗｅｂサーバ部１２３がロードされており、実行している。
【００２５】
ＰＣ１３０は、ＣＰＵ、記憶装置、入出力装置、外部記憶装置、ネットワークアダプタで構成される計算機である。ＰＣ１３０は、ネットワークアダプタを介してネットワーク１５０に接続する。記憶装置には、Ｗｅｂブラウザ１３１がロードされ、実行している。
【００２６】
次に、本実施の形態におけるシステム動作の概要を説明する。図２と図３は、本実施の形態のシステムの動作フローを示す図である。まず、コンテンツの配信情報を記録する処理を図２により説明する。
【００２７】
携帯端末１００を所持している利用者が無線アクセスポイント１６０に近づくと、携帯端末１００は、無線アダプタ１０１により、無線アクセスポイント１６０を介してＬＡＮ１４０に接続する（ステップ２０１）。
【００２８】
コンテンツ配信サーバ１１０で実行する端末検出部１１４は、ＬＡＮ１４０に接続する携帯端末の出現を監視している（ステップ２０２）。端末検出部１１４は、それが監視するＬＡＮ１４０が存在する地理的な位置についての情報、例えば、緯度経度や住所といった情報を保持している。この実施の形態では、ＬＡＮ１４０に接続する無線アクセスポイント１６０の位置情報を、ＬＡＮ１４０の位置情報として保持している。
【００２９】
携帯端末１００がＬＡＮ１４０に接続すると、端末検出部１１４はそれを検出して、アクセスポイント１６０の地理的な位置情報を記述する位置情報記述子４００を、携帯端末１００に送信する（ステップ２０３）。更に、端末検出部１１４は、携帯端末１００にコンテンツが送信できる旨をコンテンツ送信部１１３に通知する。コンテンツ送信部１１３は、外部記憶装置１１２から配信するコンテンツを記述するコンテンツ記述子５００を読み込み、携帯端末１００に送信する（ステップ２０４）。位置記述子４００とコンテンツ記述子５００は、それぞれ図４と図５に示す。
【００３０】
コンテンツは、コンテンツ記述子５００により記述される。コンテンツ記述子は、コンテンツを配信したサーバのアドレス５０１、配信コンテンツに関連するコンテンツのＵＲＬである関連リンク５０２、コンテンツ自体５０３からなる。
【００３１】
携帯端末１００のコンテンツ受信部１０３は、サーバ１１０が送信した位置記述子４００とコンテンツ記述子５００を受信する。受信部１０３が位置記述子４００を受信した場合、受信部１０３は現在の携帯端末１００の位置として記録する。コンテンツ記述子５００を受信した場合、コンテンツを記憶装置１０２内に保存する、あるいは、受信したコンテンツを表示装置に表示する等の処理を実施する（ステップ２０５）。
【００３２】
コンテンツ受信部１０３は、受信したコンテンツの情報を配信コンテンツ記録サーバ１２０に登録するために、コンテンツ登録部１０４を呼び出す。コンテンツ登録部１０４は、携帯端末１００の利用者ＩＤ  、コンテンツ記述子５００の関連リンク５０２、位置記述子４００の位置情報４０１を、配信情報としてサーバ１２０に送信する（ステップ２０６）。利用者ＩＤとサーバ１２０のアドレスは、利用者情報１０５が保持している。
【００３３】
配信コンテンツ記録サーバ１２０の登録処理部１２１は、それらの配信情報を受信して、受信時刻とともに外部記憶装置１２４内のデータベース６００に記録する（ステップ２０７）。データベース６００の構成は図６に示す。
【００３４】
次に、利用者が地図画像から配信されたコンテンツを閲覧するまでの流れを、図３により説明する。
【００３５】
利用者は、携帯端末１００に配信されたコンテンツをＰＣ１３０で見るために、Ｗｅｂブラウザ１３１にコンテンツが配信された場所を含む地図を表示させる。具体的には、利用者は、Ｗｅｂブラウザ１３１で、配信コンテンツ記録サーバ１２０で実行するＷｅｂサーバ１２３にアクセスする。このときに、利用者の利用者ＩＤと、見たい場所の地図の位置情報、例えば、座標、住所等を提示してＷｅｂサーバにアクセスする（ステップ３０１）。提示するとは、Ｗｅｂサーバ１２３へのアクセス要求にそれらの情報を含めることである。
【００３６】
Ｗｅｂサーバ１２３は、利用者を認証し（ステップ３０２）、Ｗｅｂページ生成部１２２を駆動する。Ｗｅｂページ生成部１２２は、要求に含まれる利用者ＩＤをキーとして、携帯端末１００が登録した配信情報をデータベース６００から取得する（ステップ３０３）。更に、Ｗｅｂページ生成部１２２は、検索結果の受信位置情報を参照して、表示するよう要求されている地図画像の範囲に含まれる配信情報だけを抜き出し、地図画像上でのコンテンツ受信位置に相当する座標を計算して、地図画像にコンテンツの受信を示すアイコンを描画する（ステップ３０４）。更に、その地図画像を含み、アイコンが描画された領域のリンクとして、受信コンテンツの関連リンクをリンクとして設定したＷｅｂページを記述するＨＴＭＬファイルを生成する（ステップ３０５）。Ｗｅｂサーバ１２３は、生成されたページをＰＣ１３０に送信する（ステップ３０６）。
【００３７】
利用者は、ＰＣ１３０のブラウザ１３１でコンテンツを受信した場所を示すアイコンが描画されている地図を見ることができ、そのアイコンに設定されているリンクに設定されているＵＲＬに接続することで、配信されたコンテンツ、あるいは、それに関連するコンテンツを閲覧できる（ステップ３０７）。
【００３８】
図９に、Ｗｅｂページ生成部１２２が生成するＷｅｂページの例を示す。９０１は、Ｗｅｂブラウザ１３１に表示されたＷｅｂページである。９０１内の旗印がコンテンツ受信を示すアイコンである。矩形９０２は、その領域に受信したコンテンツのＷｅｂページへのリンクが設定されていることを示している。利用者は、アイコンに設定されているリンクに接続すれば、配信されたコンテンツを閲覧できる。
【００３９】
以上により、利用者は、Ｗｅｂブラウザ１３１を使って、地図画像に設定されているリンクから、携帯端末１００で受信したコンテンツに関する情報を、簡単に閲覧できる。
【００４０】
本実施の形態では、コンテンツ配信サーバ１１０が、コンテンツを配信するコンテンツ送信部１１３と、ＬＡＮ１４０に接続する携帯端末を検出する端末検出部１１４の両方を実行しているが、これらは異なる計算機上で実行しても良い。この場合、端末検出部１１４がＬＡＮ１４０に接続する端末を検出し、コンテンツ送信部１１３を実行する計算機と連携できれば良い。それには、例えば、端末検出部１１４がコンテンツ送信部１１３を実行する計算機のアドレスを保持している、あるいは、コンテンツ送信部１１３を実行する計算機が、ＬＡＮ１４０に接続している携帯端末を端末検出部１１４に、定期的に問い合わせればよい。
【００４１】
また、本実施の形態では、携帯端末１００が受信コンテンツの登録要求を配信コンテンツ記録サーバ１２０に送信しているが、携帯端末１００がコンテンツ配信サーバ１１０に登録要求を送信し、サーバ１１０が配信コンテンツ記録サーバ１２０に要求を転送しても良い。携帯端末１００は、利用者情報１０５に含まれる配信コンテンツ記録サーバ１２０のアドレスと、ＬＡＮ１４０接続時に取得した地理的な位置情報４０１、受信したコンテンツ記述子５００の関連リンク５０２、および、利用者情報１０５の利用者ＩＤを、コンテンツ配信サーバ１１０に送信すればよい。こうすれば、携帯端末１００が配信コンテンツ記録サーバ１２０に直接接続できないネットワーク構成でも、配信状況を記録できる。
【００４２】
また、本実施の形態では、配信コンテンツ記録サーバ１２０が、Ｗｅｂサーバ１２３、Ｗｅｂページ生成部１２２、および、登録処理部１２１を実行しているが、これらは別の計算機で実行しても良い。この場合、Ｗｅｂサーバ１２３がＷｅｂページ生成部１２２と、Ｗｅｂページ生成部１２２が登録処理部１２１と通信できればよい。
【００４３】
また、本実施の形態では、ＰＣ１３０で地図を閲覧するとしたが、携帯端末１００にブラウザが搭載されているなら、コンテンツを配信された携帯端末１００のブラウザで地図画像を閲覧しても良い。
【００４４】
また、配信コンテンツ記録サーバ１２０の登録処理部１２１とＷｅｂページ生成部１２２の利用に対して、利用者に課金しても良い。
【００４５】
次に、本発明の第二の実施の形態について説明する。第一の実施の形態では、コンテンツを配信された携帯端末１００が、配信情報を登録する要求を出していた。それに対し、本実施の形態では、コンテンツ送信部１１３が配信コンテンツ記録サーバ１２０にコンテンツの配信を登録する方法を説明する。
【００４６】
システムの構成は、第一の実施の形態と同様である。図７は、本実施の形態でのコンテンツ配信方法を示す動作フローである。
【００４７】
ステップ７０１と７０２は、第一の実施の形態と同様である。端末検出部１１４は、携帯端末１００がＬＡＮ１４０に接続したのを検出すると、コンテンツ配信サーバ１１０のアドレスを携帯端末１００に送信する（ステップ７０３）。携帯端末１００は、それを受信して、自分の利用者情報１０５をサーバ１１０のコンテンツ送信部１１３に送信する（ステップ７０４）。
【００４８】
コンテンツ送信部１１３は、携帯端末１００の利用者情報１０５を受信すると、携帯端末１００にコンテンツ記述子５００を送信し（ステップ７０５）、利用者情報に含まれる利用者ＩＤと配信コンテンツ記録サーバ１２０のアドレスを参照して、ＬＡＮ１４０の位置情報、受信者の利用者ＩＤ、配信したコンテンツの関連リンク５０２を配信コンテンツ登録サーバ１２０に送信する。ＬＡＮ１４０の位置情報は、端末検出部１１４から取得する。
【００４９】
以上により、第一の実施の形態と同様の効果を実現できる。第二の実施の形態では、コンテンツ送信部１１３が配信情報の登録を実施するので、携帯端末１００で発生するネットワークトラフィックを削減できる。
【００５０】
また、コンテンツ配信中に携帯端末１００のネットワーク接続が切断しても、コンテンツ配信サーバ１１０は配信コンテンツ記録サーバ１２０に配信情報を登録できるので、利用者は後から受信に失敗したコンテンツを閲覧できる。
【００５１】
第二の実施の形態では、携帯端末１００が利用者情報１０５をコンテンツ送信部１１３に送信している。これにより、コンテンツ送信部１１３は、ＬＡＮ１４０に接続した携帯端末１００を保持している利用者の情報から、配信するコンテンツを決定できる。このことは、第一の実施の形態にも適用可能である。
【００５２】
次に、本発明の第三の実施の形態について説明する。本実施の形態では、コンテンツの配信情報はコンテンツ配信サーバ１１０に保存し、コンテンツ配信サーバ１１０を検索して地図画像を生成する方法について説明する。
【００５３】
本実施の形態では、コンテンツ配信サーバ１１０のコンテンツ送信部１１３が、コンテンツの配信状況を記録する。具体的には、コンテンツ送信部１１３は、配信先の利用者ＩＤ、配信コンテンツの関連リンク、配信時刻、ＬＡＮ１４０の位置情報を記録する。
【００５４】
図８は、本発明の第三の実施の形態のシステム構成を示す図である。この図には示されていないが、第一の実施の形態と同様に、無線アクセスポイント１６０、携帯端末１００が存在している。また、各サーバとＰＣは、同様に、ＣＰＵ、メモリといった装置を具備している。
【００５５】
コンテンツ配信サーバ１１０は、配信記録部８１０を実行している。コンテンツ送信部１１３は、第二の実施の形態と同様に、携帯端末１００が送信した利用者情報１０５を受信すると、携帯端末１００にコンテンツを送信する。それと同時に、配信記録部８１０に配信先の携帯端末１００の利用者ＩＤ、配信コンテンツの関連リンク５０２、配信時刻、ＬＡＮ１４０の位置情報４０１を記録するよう指示する。配信記録部８１０は、第一の実施の形態のデータベース６００と同様の形式で、これらの情報をメモリあるいは外部記憶装置に記録する。
【００５６】
利用者は、ＰＣ１３０のブラウザ１３１で地図画像生成サーバ８００のＷｅｂサーバ８０３にアクセスして、コンテンツ配信情報を取得する。このとき、第一の実施の形態で示したように、利用者ＩＤと表示させたい地図の場所を提示してアクセスする。
【００５７】
地図画像生成サーバ８００は、コンテンツ配信を実施しているサーバのアドレスのリスト８０２を予め持っている。Ｗｅｂサーバ８０３は、ブラウザ１３１からのアクセスを受けるとＷｅｂページ生成部８０１を呼び出す。Ｗｅｂページ生成部８０１は、配信サーバリスト８０２に登録されているそれぞれのコンテンツ配信サーバに、提示された利用者ＩＤの利用者への配信情報を問い合わせる。コンテンツ配信サーバ１１０は、配信情報の問い合わせを受けて、配信記録部８１０を呼び出してその利用者への配信情報を取得し、Ｗｅｂページ生成部８０１に返答する。
【００５８】
Ｗｅｂページ生成部８０１は、配信サーバリスト８０２に登録されているサーバから利用者へのコンテンツ配信情報を収集した後、第一の実施の形態と同様に、地図画像と、コンテンツへのリンクを含むＨＴＭＬファイルを生成する。Ｗｅｂサーバ８０３は、生成されたＨＴＭＬファイルをＰＣ１３０で実行するＷｅｂブラウザ１３１に返送する。
【００５９】
上記の実施の形態では、地図画像生成サーバ８００がサーバリスト８０２を予め有しているとしたが、このリストは別の計算機上にあってもよい。この場合、地図画像生成サーバ８００が、この計算機のアドレスを知っている、あるいは、検索によりこのリスト８０２を見つけられるようにしておけばよい。例えば、Ｐ２Ｐ検索によりリスト８０２を構成しても良い。
【００６０】
以上により、第一の実施の形態と同様の効果が得られる。また、本実施の形態では、利用者が地図画像生成サーバ８００にアクセスした時にコンテンツの配信情報を収集するとしたが、利用者のアクセスとは関係なく、地図画像生成サーバ８００が定期的にコンテンツ配信情報を収集して保持していても良い。
【００６１】
以上の実施の形態において、ＬＡＮ１４０の位置情報４０１は時間に応じて変化しても良い。例えば、ＬＡＮ１４０が電車などの移動体内に設置されている場合、端末検出部１１４は、その移動体の現在地に合わせた位置情報４０１を含む位置記述子４００を携帯端末１００に配信し、配信コンテンツ登録にも配信時の位置情報を使用してもよい。移動体の位置情報は、ＧＰＳ等で取得できる。
【００６２】
次に、本発明の第四の実施の形態について説明する。上記の実施の形態は、すべてコンテンツの配信記録を配信コンテンツ記録サーバ１２０に記録していたが、本実施の形態では携帯端末１００内に配信記録を保存する。
【００６３】
図１０は、本実施の形態のシステム構成を示す図である。図１０には、コンテンツ配信サーバ、ＬＡＮ等記載していないが、これらは第一の実施の形態と同様である。
【００６４】
携帯端末１０００のコンテンツ受信部１００１は、第二の実施の形態と同様にコンテンツを受信する。コンテンツ受信部１００１は、コンテンツを受信すると配信記録部１００２に配信情報を記録するよう指示する。配信記録部１００２は、配信コンテンツ記録サーバ１１０と同様に、データベース６００と同様のデータ構造に配信情報を記録する。
【００６５】
携帯端末１０００の入出力装置１００３は、ＰＣ１０１０と接続する手段を含んでおり、ＰＣ１０１０の入出力装置１０１３と接続している。この接続は、ネットワークを介した接続でも良い。
【００６６】
ＰＣ１０１０の記憶装置には、配信記録取得部１０１１と地図描画部１０１２がロードされていて、実行している。
【００６７】
ＰＣ１０１０の利用者は、配信されたコンテンツを見るために、地図描画部１０１２を起動する。利用者は、地図描画部１０１２に表示させる地図の位置情報を指定する。地図描画部１０１２は配信記録取得部１０１１を起動する。配信記録取得部１０１１は、ＰＣ１０１０と携帯端末１０００との接続を介して携帯端末１０００の配信記録部１００２と通信し、携帯端末１０００に格納されている配信情報を取得する。地図描画部１０１２は、第一の実施の形態のＷｅｂページ生成部１２２と同様の処理を実施して、コンテンツ受信場所を示すアイコンが重畳された地図画像とコンテンツへのリンクを設定したＨＴＭＬファイルを生成する。地図描画部１０１２は、元になる地図の画像を地図画像サーバ１０２０の地図配信部１０２１から取得する。地図画像は、ＰＣ１０１０内にあっても良い。
【００６８】
利用者は、地図画像生成部１０１２が生成したＨＴＭＬファイルをブラウザで開くことで、携帯端末１０００に配信されたコンテンツをＰＣ１０１０で簡単に閲覧できる。
【００６９】
本実施の形態では、地図描画をＰＣ１０１０内の地図描画部１０１２が実施するとしたが、地図描画部１０１２は他の計算機で実行していても良い。この場合、ＰＣ１０１０は、他の計算機で実行している地図描画部１０１２に、携帯端末１０００から取得した配信情報を送信して画像を生成させ、生成された画像を取得すればよい。
【００７０】
本実施の形態によれば、配信コンテンツ記録サーバ１２０が不要になる。
【００７１】
【発明の効果】
本発明によれば、携帯端末で場所に応じたコンテンツのプッシュ配信を受けた利用者は、コンテンツを受信したネットワークの位置とコンテンツ自体の情報を記録できる。更に、その記録から、コンテンツ受信場所を示す地図画像を生成でき、地図上の受信場所と配信コンテンツ情報を関連付けることができる。特に、地図上の受信場所に、配信されたコンテンツへのリンクが設定されたＨＴＭＬファイルを設定するため、利用者は、コンテンツ配信を受けた場所の情報から簡単に携帯端末に配信されたコンテンツにたどり着ける。
【図面の簡単な説明】
【図１】本発明の実施の形態のシステム構成を示す図である。
【図２】本発明の実施の形態の処理フローを示す図である。
【図３】本発明の実施の形態の処理フローを示す図である。
【図４】本発明の実施の形態の位置記述子４００のデータ構造を示す図である。
【図５】本発明の実施の形態のコンテンツ記述子５００のデータ構造を示す図である。
【図６】本発明の実施の形態のデータベース６００の構造を示す図である。
【図７】本発明の第二の実施の形態の処理フローを示す図である。
【図８】本発明の第三の実施の形態のシステム構成を示す図である。
【図９】本発明の実施の形態で生成されるＷｅｂページの例を示す図である。
【図１０】本発明の第四の実施の形態のシステム構成を示す図である。
【符号の説明】
１００…携帯端末、１０１…無線アダプタ、１０２…記憶装置、１０３…コンテンツ受信部、１０４…コンテンツ登録部、１０５…利用者情報、１１０…コンテンツ配信サーバ、１１１…ネットワークアダプタ、１１２…外部記憶装置、１１３…コンテンツ送信部、１１４…端末検出部、１２０…配信コンテンツ記録サーバ、１２１…登録処理部、１２２…Ｗｅｂページ生成部、１２３…Ｗｅｂサーバ部、１２４…外部記憶装置、１３０…ＰＣ、１３１…Ｗｅｂブラウザ、１４０…ＬＡＮ、１５０…ネットワーク、１６０…無線アクセスポイント。
【図１】
2004334616.tif 000003
【図２】
2004334616.tif 000004
【図３】
2004334616.tif 000005
【図４】
2004334616.tif 000006
【図５】
2004334616.tif 000007
【図６】
2004334616.tif 000008
【図７】
2004334616.tif 000009
【図８】
2004334616.tif 000010
【図９】
2004334616.tif 000011
【図１０】
2004334616.tif 000012